(57)【要約】【課題】画面表示の見易さと情報秘匿性とをバランスさせることができる表示制御装置を提供する。【解決手段】表示部２２は、画面表示を行う。設定記憶部２１は、表示部２２の表示領域のうちで、情報の秘匿性を高めるための覗き見防止対策を施して表示すべき領域を示す覗き見防止エリアの情報を記憶する。表示処理部１１は、設定記憶部２１を参照し、表示部２２の表示領域のうち、覗き見防止エリアに該当する領域内の表示に覗き見防止対策を施す。【選択図】図１
2011133641.tif 000002
【特許請求の範囲】
【請求項１】
画面表示を行う表示部と、
前記表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す表示処理部とを備える情報処理装置。
【請求項２】
前記表示処理部が、
表示用データを読み込むデータ読込み部と、
前記設定記憶部を参照し、前記表示領域のうち、どの領域が前記覗き見防止エリアに該当するかを調べるエリア設定部と、
前記エリア設定部から覗き見防止エリアの情報を受け取り、前記表示用データが、前記覗き見防止エリア内のデータであるか否かを判定するエリア判定部と、
前記エリア判定部で前記覗き見防止エリア内のデータであると判定された表示用データに対して覗き見防止対策のためのデータ変換を行って出力するデータ変換部とを有する、請求項１に記載の情報処理装置。
【請求項３】
前記データ変換部は、前記覗き見防止エリア内の表示コントラストが、変換前に比して低下するようにデータ変換を行う、請求項２に記載の情報処理装置。
【請求項４】
前記データ変換部は、変換前の表示用データの値と変換後の表示用データの値とを対応付けた変換テーブルに従って、前記データ変換を行う、請求項２又は３に記載の情報処理装置。
【請求項５】
前記設定記憶部は、前記表示領域を複数の領域に分割して得られる複数の表示エリアのそれぞれに対して、前記覗き見防止対策を施して表示するか否かを示すエリア別設定情報を記憶しており、前記エリア設定部は、前記エリア別設定情報にて、前記覗き見防止対策を施して表示する旨が設定された表示エリアを、前記覗き見防止エリアに該当する領域とする、請求項２乃至４の何れか一に記載の情報処理装置。
【請求項６】
前記設定記憶部は、複数の画面構成のそれぞれに対応して、該複数の画面構成ごとに前記エリア別設定情報を記憶しており、前記エリア設定部は、前記表示部における現在の画面構成に対応する前記エリア別設定情報にて、前記覗き見防止対策を施して表示する旨が設定された表示エリアを前記覗き見防止エリアに該当する領域とする、請求項５に記載の情報処理装置。
【請求項７】
前記設定記憶部は、画面生成元の複数の機能のそれぞれに対して、前記覗き見防止対策を施して表示するか否かを示す機能別設定情報と、前記複数の機能の画面のそれぞれが、前記表示領域を複数の領域に分割して得られる複数の表示エリアのうちの何れに表示されるかを示す機能エリア対応情報とを記憶しており、前記エリア設定部は、前記機能別設定情報を参照して、前記表示部に表示すべき画面の生成元の機能に対して前記覗き見対策を施す旨が設定されているか否かを調べ、設定されているとき、前記機能エリア対応情報を参照して、前記表示すべき画面の生成元の機能の画面が表示される表示エリアを特定し、該特定した表示エリアを前記覗き見防止エリアに該当する領域とする、請求項２乃至４の何れか一に記載の情報処理装置。
【請求項８】
画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す表示処理部を備える表示制御装置。
【請求項９】
画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施すステップを有する表示制御方法。
【請求項１０】
表示制御装置に、
画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す処理を実行させるプログラム。
【発明の詳細な説明】
【技術分野】
【０００１】
本発明は、表示制御装置、方法、及び、プログラムに関し、更に詳しくは、表示画面上に情報表示を行う表示制御装置、方法、及び、プログラムに関する。
【背景技術】
【０００２】
携帯電話機などの携帯型情報機器が普及し、使用者は、いつでも、気軽に情報機器を利用できるようになってきている。反面、使用者は、電車内やバスの中などの移動機関や、公共の場所などで情報機器を使用する場合など、周囲にいる他人に情報機器に表示される情報を見られたくないという状況も存在する。このような問題に対し、覗き見防止機能を備えた携帯情報端末装置が提案されている（例えば、特許文献１参照）。
【０００３】
特許文献１に記載の携帯情報端末装置は、視野角制御手段を備えている。視野角制御手段は、表示画面を狭視野角で閲覧させる狭視野角モードと、広視野角で閲覧させる広視野角モードとの切り替えを行う。狭視野角モードでは、表示部を正面から見る使用者は表示画面を認識できるが、表示部を斜めから見る周囲の他人は、表示画面を認識しづらくなる。従って、周囲からの覗き見を防止できる。
【先行技術文献】
【特許文献】
【０００４】
【特許文献１】特開２００６−３１８２３９号公報
【発明の概要】
【発明が解決しようとする課題】
【０００５】
しかしながら、特許文献１では、視野角制御手段がモードを狭視野角モードとすると、表示画面全体が狭視野角となる。一般に、狭視野角モードの表示は、正面から見る使用者にとっても、広視野角モードの表示に比して見づらい。例えば、画面の一部のエリアに他人に盗み見られたくない表示がある場合、モードが狭視野角モードとなることで、その見られたくないエリアだけでなく、表示画面全体が見づらくなる。このように、特許文献１では、画面表示の見易さと情報秘匿性とをバランスさせることができなかった。
【０００６】
本発明は、上記の問題点を解消し、画面表示の見易さと情報秘匿性とをバランスさせることができる表示制御装置、表示制御方法、及び、プログラムを提供することを目的とする。
【課題を解決するための手段】
【０００７】
上記目的を達成するために、本発明は、画面表示を行う表示部と、前記表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す表示処理部とを備える情報処理装置を提供する。
【０００８】
本発明は、画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す表示処理部を備える表示制御装置を提供する。
【０００９】
本発明は、画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施すステップを有する表示制御方法を提供する。
【００１０】
本発明は、表示制御装置に、画面表示を行う表示部の表示領域のうちで、情報の秘匿性を高めるための覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す処理を実行させるプログラムを提供する。
【発明の効果】
【００１１】
本発明の情報制御装置、表示制御装置、表示制御方法、及び、プログラムは、画面表示の見易さと情報秘匿性とをバランスさせることができる。
【図面の簡単な説明】
【００１２】
【図１】本発明の表示制御装置の概略構成を示すブロック図。
【図２】本発明の第１実施形態の情報処理装置を示すブロック図。
【図３】コントラスト変換で用いる変換テーブルを示す図。
【図４】変換テーブルの数値例を示す図。
【図５】表示用データの元データと変換後のデータとを示すグラフ。
【図６】表示処理部の構成を示すブロック図。
【図７】第１の表示画面構成を示す図。
【図８】第２の表示画面構成を示す図。
【図９】第３の表示画面構成を示す図。
【図１０】プライバシーアングルの設定一覧を示す図。
【図１１】動作手順を示すフローチャート。
【図１２】機能エリア対応情報の具体例を示す図。
【図１３】機能別設定情報の具体例を示す図。
【図１４】本発明の第２実施形態の情報処理装置における動作手順を示すフローチャート。
【発明を実施するための形態】
【００１３】
本発明の実施の形態の説明に先立って、本発明の概要を説明する。図１は、本発明の表示制御装置を示している。表示制御装置１０は、表示処理部１１を有する。設定記憶部２１は、画面表示を行う表示部２２の表示領域のうちで、情報の秘匿性を高めるための覗き見防止対策を施して表示すべき領域を示す覗き見防止エリアの情報を記憶する。設定記憶部２１は、表示制御装置１０内に設けられていても、表示制御装置１０の外部に設けられていてもよい。表示処理部１１は、設定記憶部２１を参照し、表示領域のうち、覗き見防止エリアに該当する領域内の表示に覗き見防止対策を施す。
【００１４】
本発明では、表示処理部１１は、設定記憶部２１を参照して、覗き見防止エリアに該当する領域内の表示に覗き見防止対策を施す。表示処理部１１は、表示領域全体中の任意の領域を、覗き見防止対策を施した表示とすることができる。このため、本発明では、覗き見防止エリア外の表示は通常の表示としつつ、覗き見防止エリア内だけ覗き見防止対策を施した表示とすることができる。従って、見易さと情報秘匿性との両立を図ることができる。
【００１５】
以下、図面を参照し、本発明の実施の形態を詳細に説明する。図２は、本発明の第１実施形態の情報処理装置を示している。本実施形態の情報処理装置は、携帯電話機である。携帯電話機１００は、制御部１０１、無線部１０２、アンテナ部１０３、電源部１０４、送話部１０５、受話部１０６、スピーカー１０７、操作部１０８、記憶装置１１０、及び、表示処理部１１１を備える。
【００１６】
無線部１０２は、無線通信を行う。無線部１０２は、無線信号の送受信に使用されるアンテナ部１０３に接続される。無線部１０２は、制御部１０１との間でデータの送受信を行う。電源部１０４は、携帯電話機１００全体に電力を供給する。送話部１０５は、使用者の音声信号を相手側に伝える。受話部１０６は、相手側の音声信号を使用者に伝える。スピーカー１０７は、音楽や音声、報知音などを出力する。操作部１０８は、使用者が、携帯電話機１００の発着信や各種機能の操作を行う際に、操作内容を制御部１０１に入力する。
【００１７】
表示部１０９は、画面表示を行う。表示部１０９は、例えばＬＣＤ(Liquid Crystal Device)などの表示装置である。制御部１０１は、携帯電話機１００全体の制御を行う。記憶装置１１０は、電話機の状態や、電話機の各種設定情報、その他のデータを記憶する。なお、図２に記載の携帯電話機１００における無線部と基地局などの無線通信システムに関する接続や構成については、本発明の動作と直接関連しないため、その詳細な説明は省略する。
【００１８】
制御部１０１は、表示処理部１１１を含む。表示処理部１１１は、様々な画像を重ね合わせ、或いは、画像を合成して、表示用データを生成する処理を行う。表示処理部１１１は、表示部１０９に表示すべき画面の各画素のデータ（表示用データ）を、表示部１０９に出力する。その際、表示処理部１１１は、表示部１０９の表示領域のうちの任意の領域に、情報の秘匿性を高めるための覗き見防止対策を施す処理を行う。
【００１９】
記憶装置１１０は、設定記憶部１１２を含む。設定記憶部１１２は、表示領域のうち、覗き見防止対策を施して表示すべき領域を示す覗き見防止エリアの情報や、表示画面に覗き見防止機能を施す際に使用するデータなどを記憶する。覗き見防止エリアの情報は、例えばエリアが矩形であるとすれば、始点（左上）と終点（右下）との組を含む。覗き見防止エリアの形状は矩形には限らず、任意の形状でよい。表示処理部１１１は、設定記憶部１１２を参照し、表示部１０９の表示領域のうち、覗き見防止エリアに該当する領域内の表示に覗き見防止対策を施す。
【００２０】
本実施形態では、覗き見防止対策として、表示画面のコントラスト変換を行う。図３は、コントラスト変換で用いる変換テーブルを示している。各画素の表示用データは、赤（Ｒ）、青（Ｂ）、緑（Ｇ）の３つの階調データから成るとする。ＲＧＢそれぞれの階調データは６ｂｉｔデータであり、各画素の表示用データは計１８ｂｉｔのデータであるとする。変換テーブルは、変換前の表示用データの値と変換後の表示用データの値との対応を定義する。設定記憶部１１２は、図３に示すような変換テーブルを記憶する。表示処理部１１１は、表示用データを表示部１０９へ出力する際に、変換テーブルを用いて、データ変換を行う。
【００２１】
表示処理部１１１は、ＲＧＢのそれぞれに対し、変換前のデータをアドレスとし、変換テーブルの該当するアドレスに格納された値を、変換後のデータとして表示部１０９に出力する。例えば、ある画素の赤色に対応する表示用データの値（階調）が「２」であったとき、表示処理部１１１は、変換テーブルから、アドレス２に対応する値「Ｒ２」を取得し、これを変換後の表示用データとして出力する。なお、実際のデータ変換では、Ｒ、Ｇ、Ｂのそれぞれに対してデータ変換を行うが、以後の説明では、便宜上、ＲＧＢを特に区分せずに、各画素のデータ変換をまとめて行うものとして説明する。
【００２２】
図４は、変換テーブルの具体的数値例を示している。変換テーブルには、ＲＧＢのそれぞれに対し、元データの階調０（最低輝度）〜階調６３（最高輝度）に対応して、１６〜４７の値が格納される。このような変換テーブルを用いて表示用データを変換すると、元の表示用データで黒（Ｒ，Ｇ，Ｂ）＝（０，０，０）に対応する画素が、黒よりも少し明るい色（Ｒ，Ｇ，Ｂ）＝（１６，１６，１６）で表示される。また、白（Ｒ，Ｇ，Ｂ）＝（６３，６３，６３）に対応する画素が、白よりも少し暗い色（Ｒ，Ｇ，Ｂ）＝（４７，４７，４７）で、表示される。
【００２３】
図５は、図４に示す変換テーブルを用いてデータ変換を行ったときの表示用データの元データと変換後の出力データとの関係をグラフで示している。また、図５には、変換テーブルを用いて変換を行わずに、表示用データをそのままスルーしたときの表示用データの元データと出力データとの関係も併せて図示している。図５において、横軸は表示用データの元データを表し、縦軸は表示部１０９への出力データを表している。
【００２４】
データ変換を行わないとき出力データは、表示用データの元データと同じであるので、表示用データは、階調０（黒）から階調６３（白）までの６４段階の階調を取り、黒と白のコントラスト差は６３となる。一方、図５に示す変換テーブルを用いてデータ変換を行うと、階調０は階調１６として出力され、階調６３は階調４７として出力される。この場合、表示用データの表示階調は半分の３２段階となり、黒と白のコントラスト差は３１となる。
【００２５】
上記のように、変換テーブルを用いてデータ変換を行うことで、黒と白のコントラスト差がデータ変換を行わない場合に比して小さくなる。コントラスト差が小さくなると、特に、表示部１０９を正面以外の角度から見たときに表示が見にくくなり、覗き見防止効果が得られる。なお、上記では、変換テーブルを用いてコントラスト差を元データの半分にしたが、これには限定されない。変換後のコントラスト差は、変換前より小さくなればよく、任意の値でよい。
【００２６】
図６は、表示処理部１１１の構成を示している。表示処理部１１１は、データ読込み部１２１、モード判定部１２２、エリア判定部１２３、エリア設定部１２４、データ変換部１２５、及び、データ出力部１２６を有する。表示処理部１１１は、無線情報から判断された電波受信状況や、制御部１０１が認識する電池残量、その他の様々な情報から、表示画面情報を生成する。データ読込み部１２１は、表示画面情報における各画素の表示用データを読み込む。
【００２７】
ユーザは、覗き見防止機能を働かせるか否かの指示を携帯電話機１００に対して与える。覗き見防止機能の有効・無効の設定は、例えば、ユーザが操作部１０８の特定のキーを操作することで行う。或いは、覗き見防止機能の有効・無効の設定は、ユーザが操作部１０８を操作し、メニュー画面などから有効・無効を選択することで行ってもよい。制御部１０１は、覗き見防止機能が有効であるか否かを示す情報を、表示処理部１１１に与える。
【００２８】
モード判定部１２２は、覗き見防止機能が有効であるか否かを判定する。モード判定部１２２は、覗き見防止機能が無効であると判定したときは、データ読込み部１２１が読み込んだ表示用データを、データ出力部１２６に入力させる。データ出力部１２６は、表示部１０９に向けて表示用データを出力する。一方、モード判定部１２２は、覗き見防止機能が有効であると判定したときは、データ読込み部１２１が読み込んだ表示用データを、エリア判定部１２３に入力させる。
【００２９】
モード判定部１２２は、覗き見防止機能が有効のときは、その旨をエリア判定部１２３、エリア設定部１２４、及び、データ変換部１２５に通知する。エリア設定部１２４は、覗き見防止機能が有効のとき、設定記憶部１１２を参照して、表示部１０９の表示領域のうち、どの領域が覗き見防止エリアに該当するかを調べる。エリア判定部１２３は、覗き見防止機能が有効のとき、エリア設定部１２４から、覗き見防止エリアの情報を受け取る。エリア判定部１２３は、データ読込み部１２１から入力した表示用データが、覗き見防止エリア内のデータであるか否かを判定する。
【００３０】
エリア判定部１２３は、表示用データが覗き見防止エリア外のデータであると判定すると、表示用データを、データ出力部１２６に送る。一方、エリア判定部１２３は、表示用データが覗き見防止エリア内のデータであると判定したときは、表示用データをデータ変換部１２５に送る。データ変換部１２５は、エリア判定部１２３から、覗き見防止エリア内の表示データを受け取ると、受け取った表示用データに対して、覗き見防止のためのデータ変換を行う。より詳細には、データ変換部１２５は、覗き見防止機能が有効のとき、設定記憶部１１２から変換テーブルを取得し、取得した変換テーブルを用いて、覗き見防止エリア内の表示コントラストが、変換前に比して低下するようにデータ変換を行う。データ変換部１２５は、変換した表示用データを、データ出力部１２６に送る。
【００３１】
ここで、設定記憶部１１２は、表示部１０９の表示領域を複数の領域に分割して得られる複数の表示エリアのそれぞれに対して、覗き見防止機能が有効のときに覗き見防止対策を施して表示するか否かを示すエリア別設定情報を記憶する。設定記憶部１１２は、例えば、表示領域が表示エリア１〜表示エリア３の３つの表示エリアに分割されるとき、各表示エリアに対して、覗き見防止機能を施した表示するか、或いは、覗き見防止機能を施さずに通常の表示にするかを示すエリア別の設定情報を記憶する。
【００３２】
以下では、エリア別設定情報で、覗き見防止機能を施して表示する旨が設定された表示エリアを、プライバシーアングルがオンの表示エリアと呼ぶ。また、覗き見防止機能を施さずに表示する旨が設定された表示エリアをプライバシーアングルがオフの表示エリアと呼ぶ。プライバシーアングルがオンの表示エリアは、覗き見防止エリアに該当する。エリア設定部１２４は、覗き見防止機能が有効のとき、設定記憶部１１２を参照して、プライバシーアングルがオンの表示エリア（覗き見防止エリア）を調べる。エリア設定部１２４は、例えば、表示部１０９の表示領域におけるどの座標範囲が覗き見防止エリアに該当するかを示す情報を、エリア判定部１２３に送る。
【００３３】
ところで、表示部１０９に表示される画面の画面構成には、複数の画面構成が考えられる。複数の画面構成としては、例えば、通常の画面構成（１画面）や、上下二分割の画面構成（２画面）などが考えられる。本実施形態では、ユーザは、画面構成ごとに、各表示エリアに対し、プライバシーアングルのオン・オフが設定可能であるとする。設定記憶部１１２は、複数の画面構成のそれぞれに対応して、複数の画面構成ごとに上記のエリア別設定情報を記憶している。
【００３４】
図７は、表示部１０９における第１の表示画面構成（画面構成Ａ）を示している。表示部１０９に表示される画面は、表示エリア１、表示エリア２、表示エリア３の３つのエリアから成る。表示エリア１は、電波受信状態や電池残量を示すアイコンが表示される部分である。表示エリア２は、ソフトキーのキーの役割などを表示するエリアである。エリア３は、メインの表示エリアであり、作成中の電子メールや受信した電子メール、或いは、Ｗｅｂページなどが表示されるエリアである。
【００３５】
ユーザは、図７に示す表示エリア１〜表示エリア３のそれぞれに対して、プライバシーアングルのオン・オフを設定可能である。例えば、ユーザは、表示エリア３のみプライバシーアングルをオンに設定し、表示エリア１及び表示エリア２は、プライバシーアングルをオフに設定する。各表示エリアのプライバシーアングルのオン・オフの設定は、工場出荷時などにあらかじめ設定されていてもよい。この場合、エリア設定部１２４は、表示エリア３が覗き見防止エリアに該当する旨を、エリア判定部１２３に通知する。表示エリア３が、表示部１０９の表示領域におけるどの座標範囲であるかを示す情報は、設定記憶部１１２に別途記憶されているとする。
【００３６】
エリア判定部１２３は、表示用データが表示エリア３に表示すべきデータであると判定すると、表示用データをデータ変換部１２５に送る。データ変換部１２５は、表示エリア３に表示すべき表示用データに対して変換テーブルに従ったデータ変換を行う。データ変換部１２５がデータ変換を行うことで、表示エリア３には、通常時よりもコントラストが低い状態の画面が表示される。一方、エリア判定部１２３は、表示用データが表示エリア１及び表示エリア２に表示すべきデータであるときは、表示用データを変換せずに、データ出力部１２６を介して表示部１０９に出力する。従って、表示エリア１及び表示エリア２には、コントラストが高い、通常の状態の画面が表示される。
【００３７】
図８は、表示部１０９における第２の表示画面構成（画面構成Ｂ）を示している。第２の表示画面構成は、２画面表示機能等を使用した状態を想定している。表示エリア１と表示エリア２とは、第１の表示画面構成における表示エリア１及び表示エリア２と同様である。表示エリア３及び表示エリア４は、２分割されたメインの表示エリアであり、表示エリア３と、表示エリア４とには、互いに異なる表示内容の画面が表示可能である。ユーザは、表示エリア４のみに対してプライバシーアングルオンを設定し、残りの表示エリア１〜３に対しては、プライバシーアングルオフを設定することができる。この場合、表示処理部１１１は、表示エリア４内の表示データに対してのみデータ変換を行い、他のエリアよりも表示コントラストを低くする。
【００３８】
図９は、表示部１０９における第３の表示画面構成（画面構成Ｃ）を示している。第３の表示画面構成は、マルチ画面表示機能等を使用した状態を想定している。表示エリア１と表示エリア２とは、第１の表示画面構成における表示エリア１及び表示エリア２と同様である。表示エリア３及び表示エリア４は、２分割されたメインの表示エリアであり、表示エリア５は、テロップ表示のエリアである。ユーザは、表示エリア３と表示エリア５とに対してプライバシーアングルオンを設定し、残りのエリアに対してプライバシーアングルオフを設定することができる。この場合、表示処理部１１１は、表示エリア３と表示エリア５内の表示データに対してのみデータ変換を行い、他のエリアよりも表示コントラストを低くする。
【００３９】
図１０は、プライバシーアングルの設定一覧を示している。設定記憶部１１２は、画面構成Ａ〜Ｃのそれぞれに対し、各画面を構成するエリアごとに、プライバシーアングルのオン・オフを示す情報を記憶する。また、設定記憶部１１２は、別途、各画面構成における各エリアが、表示部１０９のどの領域（座標範囲）に対応するかを示す情報を記憶している。ユーザは、各画面構成にて、任意のエリアに対し、プライバシーアングルをオンに設定することができる。表示処理部１１１は、設定記憶部１１２が記憶する情報を用いて、各画面構成にて、プライバシーアングルがオンに設定されたエリア内の表示用データ（元データ）を、変換テーブルに従って変換する。
【００４０】
図１１は、動作手順を示している。モード判定部１２２は、覗き見防止機能が有効であるか否かを判定する（ステップＡ１）。モード判定部１２２が覗き見防止機能が無効であると判定した場合、データ読込み部１２１は表示用データを読込み、読み込んだ表示用データをデータ出力部１２６へ出力する（ステップＡ２）。データ出力部１２６は、表示用データを、表示部１０９へ出力する（ステップＡ３）。
【００４１】
モード判定部１２２が覗き見防止機能が有効であると判定した場合、エリア設定部１２４は、設定記憶部１１２を参照して、表示部１０９の表示領域のうちのどの部分がプライバシーアングルオンの表示エリア（覗き見防止エリア）に該当するかを調べ、覗き見防止エリアの情報をエリア判定部１２３に通知する（ステップＡ４）。データ読込み部１２１は、表示用データを読み込み、読み込んだ表示用データをエリア判定部１２３に送る（ステップＡ５）。
【００４２】
エリア判定部１２３は、表示用データが覗き見防止エリア内の表示データであれば、表示用データをデータ変換部１２５に送る。データ変換部１２５は、設定記憶部１１２が記憶する変換テーブルに基づいてコントラスト変換を行う（ステップＡ６）。データ変換部１２５は、変換後の表示用データをデータ出力部１２６に送る。データ出力部１２６は、ステップＡ３で、コントラスト変換後の表示用データを表示部１０９へ出力する。一方、エリア判定部１２３は、表示用データが覗き見防止エリア外の表示用データであれば、表示用データをデータ出力部１２６に送る。データ出力部１２６は、ステップＡ３で、受け取った表示用データを表示部１０９へ出力する。
【００４３】
覗き見防止機能が有効のとき、データ出力部１２６は、覗き見防止エリア内に対してはコントラスト変換後の表示用データを表示部１０９へ出力し、覗き見防止エリア外に対しては、コントラスト変換を経ない表示用データを出力する。このようにすることで、表示部１０９の表示領域のうち、プライバシーアングルがオンの表示エリアのみに対して覗き見防止対策を施して表示を行い、プライバシーアングルがオフの表示エリアに対しては通常通りの表示を行うことが可能である。
【００４４】
本実施形態では、表示処理部１１１は、表示部１０９のうちの任意の領域に対して覗き見防止対策を施す。本実施形態では、表示領域の全体だけでなく、一部の領域のみを覗き見防止エリアに設定し、その領域のみに覗き見防止対策を施すことができるので、１つの表示部１０９の表示領域上に、覗き見防止対策を施した表示と、覗き見防止対策を施さない表示とを混在させることができる。このようにすることで、見易さと情報秘匿性とのバランスが向上した表示が可能になり、使い勝手のよい携帯電話機１００を提供することができる。また、ユーザが、任意に覗き見防止エリアの設定を行うことができるようにすることで、ユーザの嗜好に応じた表示が可能である。
【００４５】
続いて、本発明の第２実施形態を説明する。本実施形態に係る情報処理装置は携帯電話機であり、その構成は、図２に示す構成と同様である。また、表示処理部１１１の構成は、図６に示す構成と同様である。第１実施形態では、覗き見防止対策を施すか否かは表示部１０９における表示領域中の場所に依存し、表示領域中のエリアごとに、プライバシーアングルのオン・オフが設定可能であった。本実施形態では、各表示領域に割り当てられている機能と、その機能に対するプライバシーアングルのオン・オフの設定に応じて、表示領域中の任意の領域に対して覗き見防止対策を施す。その他の点は、第１実施形態と同様である。
【００４６】
本実施形態では、設定記憶部１１２は、画面生成元の複数の機能のそれぞれに対して、覗き見防止対策を施して表示するか否かを示す機能別設定情報と、複数の機能の画面のそれぞれが、表示領域のうちの何れに表示されるかを示す機能エリア対応情報とを記憶する。エリア設定部１２４は、機能別設定情報を参照して、表示中の画面の機能に対して覗き見防止対策を施すか否かを調べる。また、エリア設定部１２４は、機能エリア対応情報を参照して、覗き見防止対策を施すべき機能が表示する表示エリアを特定し、そのエリアを覗き見防止エリアとする。
【００４７】
図１２は、機能エリア対応情報の具体例を示している。図１２における表示内容Ａは、図７に示す画面構成Ａに対応する。また、図１２における表示内容Ｂは、図８に示す画面構成Ｂに対応し、表示内容Ｃは、図９に示す画面構成Ｃに対応する。機能エリア対応情報は、表示エリアと、その表示エリアに表示される画面の機能との対応関係を管理する情報である。図１２に示す機能エリア対応情報を参照することで、例えば図７の表示エリア３に表示される画面が、メールの機能が生成した画面であることがわかる。機能エリア対応情報は、例えば、あらかじめ工場出荷時などに設定記憶部１１２に記憶されている。
【００４８】
図１３は、機能別設定情報の具体例を示している。機能別設定情報は、機能と、その機能の画面に対して覗き見防止対策を施すか否か（プライバシーアングルのオン・オフ）とを対応付けて管理する。ユーザは、各機能に対して、プライバシーアングルのオン・オフを設定可能である。図１３に示す機能別設定情報を参照することで、機能「アイコン」及び「ソフトキー」に対応する画面に対しては覗き見対策を施さず、機能「テロップ」、「メール」、及び、「ブラウザ」などの画面に対して覗き見対策を施す旨が指定されていることがわかる。
【００４９】
エリア設定部１２４は、機能別設定情報と、機能エリア対応情報とを組み合わせて、表示中の画面のうち、どの領域が覗き見防止エリアに該当するかを判断する。例えば、表示部１０９にメールの画面が表示されている場合を考える。エリア設定部１２４は、設定記憶部１１２の機能別設定情報（図１３）を参照して、メールに対してプライバシーアングルがオンに設定されていることを認識する。エリア設定部１２４は、機能エリア対応情報（図１２）を参照して、メールの画面が表示される表示エリアが表示エリア３であることを特定する。エリア設定部１２４は、特定した表示エリア３を、覗き見防止エリアとする。図１２に示す機能エリア対応情報と図１３に示す機能別設定情報とを組み合わせることで、図７〜図９で、それぞれ、表示エリア３、表示エリア４、及び、表示エリア３と表示エリア５に対してプライバシーアングルをオンに設定した場合と同等な覗き見防止エリアの設定が得られる。
【００５０】
図１４は、第２実施形態における動作手順を示している。覗き見防止対策が無効のときの動作は、図１１を用いて説明した第１実施形態における動作と同様である。すなわち、モード判定部１２２は、覗き見防止機能が有効か無効かを調べ（ステップＢ１）、無効のとき、データ読込み部は表示用データを読込み、データ出力部１２６に送る（ステップＢ２）。データ出力部１２６は、表示用データを表示部１０９へ向けて出力する（ステップＢ３）。
【００５１】
モード判定部１２２が覗き見防止機能が有効と判断した場合、エリア設定部１２４は、機能エリア対応情報を参照し、現在の表示内容にて、各表示エリアがどの機能の画面表示を行っているかを調べる（ステップＢ４）。例えば、エリア設定部１２４は、表示内容が表示内容Ｃのとき、図１２に示す機能エリア対応情報を参照して、表示エリア１に表示する機能はアイコンで、表示エリア２に表示する機能はソフトキーで、表示エリア３に表示する機能はブラウザで、表示エリア４に表示する機能はワンセグで、表示エリア５に表示する機能はテロップであることを調べる。
【００５２】
エリア設定部１２４は、各表示エリアに表示する機能を調べると、機能別設定情報を参照し、各表示エリアの機能に対してプライバシーアングルがオンに設定されているか否かを調べる（ステップＢ５）。エリア設定部１２４は、プライバシーアングルがオンに設定されている機能に対応する表示エリアを、覗き見防止エリアとして設定する。エリア設定部１２４は、覗き見防止エリアの情報をエリア判定部１２３に通知する。
【００５３】
エリア判定部１２３は、データ変換の必要があるか否かを判断する（ステップＢ６）。つまり、エリア判定部１２３は、表示エリアのうちの少なくとも１つがプライバシーアングルがオンに設定されているか否かを判断する。エリア判定部１２３が、全ての表示エリアがプライバシーアングルオフであると判断した場合の動作は、覗き見防止対策が無効の場合の動作と同様である。すなわち、ステップＢ２でデータ読込み部１２１が表示用データを読み込み、ステップＢ３で、データ出力部１２６から、表示用データを出力する。
【００５４】
表示エリアのうちの少なくとも１つがプライバシーアングルオンに設定されている場合、データ読込み部１２１は、表示用データを読み込み（ステップＢ７）、読み込んだ表示用データをエリア判定部１２３に送る。エリア判定部１２３は、表示用データが覗き見防止エリア内の表示データであるか否かを判定する。エリア判定部１２３は、表示用データが覗き見防止エリア内の表示データであれば、表示用データをデータ変換部１２５に送る。データ変換部１２５は、設定記憶部１１２が記憶する変換テーブルに基づいてコントラスト変換を行う（ステップＢ８）。このデータ変換は、第１実施形態におけるデータ変換と同様である。
【００５５】
データ変換部１２５は、変換後の表示用データをデータ出力部１２６に送る。データ出力部１２６は、ステップＢ３で、コントラスト変換後の表示用データを表示部１０９へ出力する。一方、エリア判定部１２３は、表示用データが覗き見防止エリア外の表示用データであれば、表示用データをデータ出力部１２６に送る。データ出力部１２６は、ステップＢ３で、受け取った表示用データを表示部１０９へ出力する。以上のような動作を行うことで、表示処理部１１１は、プライバシーアングルがオンに設定された機能に対応する表示エリア内の表示用データにコントラスト変換を行った上で表示部１０９へ出力し、覗き見防止対策エリア外の表示データは、そのまま表示部１０９へ出力する。
【００５６】
本実施形態においても、第１実施形態と同様に、１つの表示部１０９の表示領域上に、覗き見防止対策を施した表示と、覗き見防止対策を施さない表示とを混在させることができる。このようにすることで、見易さと情報秘匿性とのバランスが向上した表示が可能になり、使い勝手のよい携帯電話機１００を提供することができる。また、本実施形態では、ユーザは、機能に対してプライバシーアングルのオン・オフを設定する。本実施形態では、機能と表示領域との対応付けを表示処理部１１１内で行うので、ユーザは、例えばメールがどの表示エリアに表示されることを意識しなくても、メールが表示される表示エリアの画面を覗き見防止対策を施した状態で表示させることができる。
【００５７】
なお、図６では、表示処理部１１１にモード判定部１２２を設け、覗き見防止対策の有効・無効を判断しているが、モード判定部１２２を省くことも可能である。その場合、表示処理部１１１は、常に、設定情報に従って、特定の表示エリアの表示に対し、覗き見防止機能を働かせてもよい。また、上記各実施形態では、データ変換部１２５が変換テーブルを用いてコントラスト変換を行う例を説明したが、これには限定されない。データ変換部１２５は、所定の関数を用いてコントラスト変換を行い、データ変換前に比して、表示用データのコントラストを低下させてもよい。
【００５８】
上記各実施形態では、情報処理装置が携帯電話機である例を用いて説明したが、本発明の情報処理装置はこれには限定されない。本発明は、携帯電話機以外の携帯型情報端末（携帯型情報処理装置）にも、適用可能である。また、情報処理装置は、携帯型の装置には限定されず、据え置きタイプの情報処理装置でもよい。情報処理装置において、表示部は、情報処理装置と一体である必要はなく、情報処理装置と表示装置とが別の装置として構成されていてもよい。
【００５９】
上記各実施形態では、表示処理部１１１は、いったん通常状態での表示用データを生成し、最終段で覗き見防止対策のためのデータ変換を行うことを想定しているが、これには限定されない。例えば、表示処理部１１１は、表示用データを生成する段階で、覗き見防止対策を施した状態の表示用データを生成してもよい。また、覗き見防止対策は、ソフトウェア的な処理だけには限定されず、表示部１０９のハードウェア的な制御を伴っていてもよい。
【００６０】
以上、本発明をその好適な実施形態に基づいて説明したが、本発明の情報処理装置、表示制御装置、表示制御方法、及び、プログラムは、上記実施形態にのみ限定されるものではなく、上記実施形態の構成から種々の修正及び変更を施したものも、本発明の範囲に含まれる。
【００６１】
（付記１）
画面表示を行う表示部の表示領域のうちで、覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施すステップを有する表示制御方法。
【００６２】
（付記２）
前記覗き見防止対策を施すステップが、
表示用データを読み込むステップと、
前記設定記憶部を参照し、前記表示領域のうち、どの領域が前記覗き見防止エリアに該当するかを調べるエリア設定ステップと、
前記エリア設定ステップで調べた覗き見防止エリアの情報に基づいて、前記表示用データが、前記覗き見防止エリア内のデータであるか否かを判定するエリア判定ステップと、
前記エリア判定ステップで前記覗き見防止エリア内のデータであると判定した表示用データに対して、覗き見防止対策のためのデータ変換を行うデータ変換ステップとを含む、付記１に記載の表示制御方法。
【００６３】
（付記３）
前記データ変換ステップでは、前記覗き見防止エリア内の表示コントラストが、変換前に比して低下するようにデータ変換を行う、付記２に記載の表示制御方法。
【００６４】
（付記４）
前記変換データステップでは、変換前の表示用データの値と変換後の表示用データの値と対応付けた変換テーブルに従って、前記データ変換を行う、付記２又は３に記載の表示制御方法。
【００６５】
（付記５）
前記設定記憶部は、前記表示領域を複数の領域に分割して得られる複数の表示エリアのそれぞれに対して、前記覗き見防止対策を施して表示するか否かを示すエリア別設定情報を記憶しており、前記エリア設定ステップでは、前記エリア別設定情報にて、前記覗き見防止対策を施して表示する旨が設定された表示エリアを、前記覗き見防止エリアに該当する領域とする、付記２乃至付記４の何れか一に記載の表示制御方法。
【００６６】
（付記６）
前記設定記憶部は、複数の画面構成のそれぞれに対応して、該複数の画面構成ごとに前記エリア別設定情報を記憶しており、前記エリア設定ステップでは、前記表示部における現在の画面構成に対応する前記エリア別設定情報にて、前記覗き見防止対策を施して表示する旨が設定された表示エリアを前記覗き見防止エリアに該当する領域とする、付記５に記載の表示制御方法。
【００６７】
（付記７）
前記設定記憶部は、画面生成元の複数の機能のそれぞれに対して、前記覗き見防止対策を施して表示するか否かを示す機能別設定情報と、前記複数の機能の画面のそれぞれが、前記表示領域を複数の領域に分割して得られる複数の表示エリアのうちの何れに表示されるかを示す機能エリア対応情報とを記憶しており、前記エリア設定ステップでは、前記機能別設定情報を参照して、前記表示部に表示すべき画面の生成元の機能に対して前記覗き見対策を施す旨が設定されているか否かを調べ、設定されているとき、前記機能エリア対応情報を参照して、前記表示すべき画面の生成元の機能の画面が表示される表示エリアを特定し、該特定した表示エリアを前記覗き見防止エリアに該当する領域とする、付記２乃至付記４の何れか一記載の表示制御方法。
【００６８】
（付記８）
表示制御装置に、
画面表示を行う表示部の表示領域のうちで、覗き見防止対策を施して表示すべき領域を示す覗き見防止エリアの情報を記憶する設定記憶部を参照し、前記表示領域のうち、前記覗き見防止エリアに該当する領域内の表示に前記覗き見防止対策を施す処理を実行させるプログラム。
【００６９】
（付記９）
前記覗き見防止対策を施す処理が、
表示用データを読み込む処理と、
前記設定記憶部を参照し、前記表示領域のうち、どの領域が前記覗き見防止エリアに該当するかを調べるエリア設定処理と、
前記エリア設定処理で調べられた覗き見防止エリアの情報に基づいて、前記表示用データが、前記覗き見防止エリア内のデータであるか否かを判定するエリア判定処理と、
前記エリア判定処理で前記覗き見防止エリア内のデータであると判定された表示用データに対して、覗き見防止対策のためのデータ変換を行うデータ変換処理とを含む、付記８に記載のプログラム。
【００７０】
（付記１０）
前記データ変換処理では、前記覗き見防止エリア内の表示コントラストが、変換前に比して低下するようにデータ変換を行う、付記９に記載のプログラム。
【００７１】
（付記１１）
前記データ変換処理では、変換前の表示用データの値と変換後の表示用データの値とを対応付けた変換テーブルに従って、前記データ変換を行う、付記９又は付記１０に記載のプログラム。
【００７２】
（付記１２）
前記設定記憶部は、前記表示領域を複数の領域に分割して得られる複数の表示エリアのそれぞれに対して、前記覗き見防止対策を施して表示するか否かを示すエリア別設定情報を記憶しており、前記エリア設定処理では、前記エリア別設定情報にて、前記覗き見防止対策を施して表示する旨が設定された表示エリアを、前記覗き見防止エリアに該当する領域とする、付記９乃至付記１１の何れか一に記載のプログラム。
【００７３】
（付記１３）
前記設定記憶部は、複数の画面構成のそれぞれに対応して、該複数の画面構成ごとに前記エリア別設定情報を記憶しており、前記エリア設定処理では、前記表示部における現在の画面構成に対応する前記エリア別設定情報にて、前記覗き見防止対策を施して表示する旨が設定された表示エリアを前記覗き見防止エリアに該当する領域とする、付記１２に記載のプログラム。
【００７４】
（付記１４）
前記設定記憶部は、画面生成元の複数の機能のそれぞれに対して、前記覗き見防止対策を施して表示するか否かを示す機能別設定情報と、前記複数の機能の画面のそれぞれが、前記表示領域を複数の領域に分割して得られる複数の表示エリアのうちの何れに表示されるかを示す機能エリア対応情報とを記憶しており、前記エリア設定処理では、前記機能別設定情報を参照して、前記表示部に表示すべき画面の生成元の機能に対して前記覗き見対策を施す旨が設定されているか否かを調べ、設定されているとき、前記機能エリア対応情報を参照して、前記表示すべき画面の生成元の機能の画面が表示される表示エリアを特定し、該特定した表示エリアを前記覗き見防止エリアに該当する領域とする、付記９乃至付記１１の何れかに記載のプログラム。
【符号の説明】
【００７５】
１０：表示制御装置
１１：表示処理部
２１：設定記憶部
２２：表示部
１００：携帯電話機
１０１：制御部
１０２：無線部
１０３：アンテナ部
１０４：電源部
１０５：送話部
１０６：受話部
１０７：スピーカー
１０８：操作部
１０９：表示部
１１０：記憶装置
１１１：表示処理部
１１２：設定記憶部
１２１：データ読込み部
１２２：モード判定部
１２３：エリア判定部
１２４：エリア設定部
１２５：データ変換部
１２６：データ出力部
【図１】
2011133641.tif 000003
【図２】
2011133641.tif 000004
【図３】
2011133641.tif 000005
【図４】
2011133641.tif 000006
【図５】
2011133641.tif 000007
【図６】
2011133641.tif 000008
【図７】
2011133641.tif 000009
【図８】
2011133641.tif 000010
【図９】
2011133641.tif 000011
【図１０】
2011133641.tif 000012
【図１１】
2011133641.tif 000013
【図１２】
2011133641.tif 000014
【図１３】
2011133641.tif 000015
【図１４】
2011133641.tif 000016